(57)【要約】【課題】電線への負担を軽減できるコネクタを提供する。【解決手段】コネクタハウジング１３内のコンタクトに接続してコネクタハウジング１３の後端３７より導出される電線１７を案内する案内部材１５を備えたコネクタ１００であって、案内部材１５は、電線１７が係止され、電線１７の屈曲により加わる負荷を軽減させるように撓み可能な可撓壁４７を備える。案内部材１５は、一対の側壁５３ａと側壁間を繋ぐ底壁４１とによって形成される固定壁４３と、固定壁４３の底壁４１と撓み空間４５を設けて対向配置され且つ側壁間に位置する可撓壁４７と、を備える構成することができる。また、案内部材１５は、相手方コネクタハウジングとの係合を行うロックアーム２９の係合解除を規制するスペーサーを兼ねてもよい。【選択図】図４
2011090842.tif 000002
【特許請求の範囲】
【請求項１】
コネクタハウジング内のコンタクトに接続して該コネクタハウジングの後端より導出される電線を案内する案内部材を備えたコネクタであって、
前記案内部材は、電線が係止され、該電線の屈曲により加わる負荷を軽減させるように撓み可能な可撓壁を備えることを特徴とするコネクタ。
【請求項２】
請求項１記載のコネクタであって、
前記案内部材は、一対の側壁と該側壁間を繋ぐ底壁とによって形成される固定壁と、該固定壁の底壁と撓み空間を設けて対向配置され且つ前記側壁間に位置する前記可撓壁と、を備えることを特徴とするコネクタ。
【請求項３】
請求項１又は請求項２記載のコネクタであって、
前記案内部材は、相手方コネクタハウジングとの係合を行うロックアームの係合解除を規制するスペーサーを兼ねていることを特徴とするコネクタ。
【請求項４】
請求項２又は請求項３記載のコネクタであって、
前記案内部材は、前記撓み空間と反対側の前記可撓壁の面に沿って設けられた電線を、前記固定壁と一括して外周に巻いたハーネステープによって係止することを特徴とするコネクタ。
【発明の詳細な説明】
【技術分野】
【０００１】
本発明は、コネクタハウジング後端から電線が導出されるコネクタに関する。
【背景技術】
【０００２】
コネクタに接続された電線が、他の部品と接触して被覆が傷ついたり、芯線が断線したりすることを防止するための電線プロテクタ手段を有するコネクタが知られている（例えば特許文献１参照）。この電線プロテクタ付きコネクタ５００は、図７に示すように、後方から入線された複数の電線５０１の各芯線が各コンタクトに接続されたコネクタ５０３の外周面にスライド可能に装着され、図８に示すように、コネクタ５０３を相手側コネクタ５０５に結合する過程で、その相手側コネクタ５０５の外周部端面と当接し、押圧されてコネクタ５０３の外周面に沿い、電線５０１を覆う位置まで後方にスライドされる電線プロテクタ５０７を備えた構成になっている。
【先行技術文献】
【特許文献】
【０００３】
【特許文献１】特開平７−２４９４５１号公報
【特許文献２】特開２０００−２３５８８１号公報
【発明の概要】
【発明が解決しようとする課題】
【０００４】
しかしながら、プロテクタはコネクタ後端より導出される電線を保護するために設けているが、コネクタハウジングが振動した場合、プロテクタ端部における電線屈曲部での障害（被覆の傷つき、断線など）を防ぐことができない。また、特許文献２には、電線を保護するようにリアホルダがハウジング後端に接続されるコネクタが開示されるが、このコネクタにおいても電線屈曲部における障害は回避できず、電線の負荷軽減には何ら機能しない。
【０００５】
本発明は上記状況に鑑みてなされたもので、その目的は、電線への負担を軽減できるコネクタを提供することにある。
【課題を解決するための手段】
【０００６】
本発明に係る上記目的は、下記構成により達成される。
（１）  コネクタハウジング内のコンタクトに接続して該コネクタハウジングの後端より導出される電線を案内する案内部材を備えたコネクタであって、
前記案内部材は、電線が係止され、該電線の屈曲により加わる負荷を軽減させるように撓み可能な可撓壁を備えることを特徴とするコネクタ。
【０００７】
このコネクタによれば、コネクタハウジングの後端から導出された電線が、案内部材の可撓壁に係止される。コネクタハウジングが振動すると、電線は、可撓壁が一体となって弾性的に変位する。これにより、電線の屈曲部において荷重（応力）が集中しにくい。また、可撓壁の弾性的な変位によって振動も減衰する。
【０００８】
（２）  （１）のコネクタであって、
前記案内部材は、一対の側壁と該側壁間を繋ぐ底壁とによって形成される固定壁と、該固定壁の底壁と撓み空間を設けて対向配置され且つ前記側壁間に位置する前記可撓壁と、を備えることを特徴とするコネクタ。
【０００９】
このコネクタによれば、可撓壁が、一対の側壁と底壁とに囲まれ、他部材と干渉しにくく、電線と一体の自由な撓みが可能となる。つまり、信頼性の高い可撓構造が得られる。
【００１０】
（３）  （１）又は（２）のコネクタであって、
前記案内部材は、相手方コネクタハウジングとの係合を行うロックアームの係合解除を規制するスペーサーを兼ねていることを特徴とするコネクタ。
【００１１】
このコネクタによれば、相手方コネクタハウジングに対するロックアームの二重ロック構造を、専用部材を用いずに構成でき、部品を増やさずに、嵌合信頼性を高めることができる。
【００１２】
（４）  （２）又は（３）のコネクタであって、
前記案内部材は、前記撓み空間と反対側の前記可撓壁の面に沿って設けられた電線を、前記固定壁と一括して外周に巻いたハーネステープによって係止することを特徴とするコネクタ。
【００１３】
このコネクタによれば、後端から電線の導出されたコネクタハウジングに案内部材を装着することで、電線に沿って可撓壁が配置される。電線と固定壁とをハーネステープを用い一括して巻くことで、可撓自在な可撓壁に簡単な作業で電線を確実に係止できる。
【発明の効果】
【００１４】
本発明に係るコネクタによれば、コネクタハウジングの後端より導出される電線を案内する案内部材を備え、案内部材は、電線を係止し、電線の屈曲により加わる負荷を軽減させるように撓み可能な可撓壁を備えるので、可撓壁が荷重の方向に変位して、電線への負担を軽減することができる。
【図面の簡単な説明】
【００１５】
【図１】本発明に係るコネクタの斜視図である。
【図２】図１に示したコネクタの平面図である。
【図３】図１に示したコネクタの後端を見た背面図である。
【図４】（ａ）は導出電線がハーネステープにて係止されたコネクタの側面図、（ｂ）はその断面図である。
【図５】図１に示したコネクタの分解斜視図である。
【図６】（ａ）は電線の導出されたコネクタハウジングの断面図、（ｂ）は案内部材が装着されたコネクタの断面図、（ｃ）は導出電線に負荷が加えられたコネクタの断面図である。
【図７】従来のコネクタの斜視図である。
【図８】（ａ）は従来コネクタの相手方コネクタハウジング嵌合前の断面図、（ｂ）は嵌合後の断面図である。
【発明を実施するための形態】
【００１６】
以下、本発明の実施の形態を図面を参照して説明する。
図１は本発明に係るコネクタの斜視図である。
本実施の形態に係るコネクタ１００は、内部に雌コンタクト１１（図６参照）を収容した雌コネクタである。本明細書中、コネクタ１００は、相手方コネクタハウジングの嵌合側を前、その反対側を後として説明する。コネクタ１００は、コネクタハウジング１３と、案内部材１５とに大別して構成される。コネクタハウジング１３は、上記コンタクト１１と、このコンタクト１１に接続される電線１７を有する。
【００１７】
コネクタハウジング１３は、コンタクト１１を収容する筒状のハウジング本体１９を嵌合中心部に有する。ハウジング本体１９は複数の端子収容室２１（図６参照）を横並びに有する。端子収容室２１は、相手方コネクタの雄コンタクト（図示せず）を受け入れる雄タブ受入口２３を前面に開口する。
【００１８】
ハウジング本体１９の外周には相手方コネクタハウジングの嵌合空間２５を隔ててフード部２７が位置し、フード部２７は後端でハウジング本体１９に接続する。ハウジング本体１９の上面にはロックアーム２９が設けられ、ロックアーム２９は中央部がコネクタハウジング１３に接続して前後部が上下に揺動自在となる。ロックアーム２９は、アーム前部３１（図４（ｂ）参照）が相手方コネクタハウジングに係止し、アーム後部３３が押下されることで、その係止が解除される。アーム後部３３の下方には押下スペース３５が設けられる。
【００１９】
図２は図１に示したコネクタの平面図、図３は図１に示したコネクタの後端を見た背面図である。
案内部材１５は、コネクタハウジング１３の後端３７（図４参照）に装着される。案内部材１５は、図３に示す一対の側壁３９ａ，３９ｂを有する。この側壁３９ａ，３９ｂは、固定壁４３の底壁４１によって繋がれる。固定壁４３の底壁４１には、撓み空間４５を隔てて可撓壁４７が対向配置される。可撓壁４７は、側壁３９ａ，３９ｂの間に、両側のスリット４９，４９を介して位置する。可撓壁４７には、電線１７が係止される。つまり、可撓壁４７は、平板状の前部（基端部）が固定壁４３に接続され、後部（先端部）が自由端となる片持ち梁状となっている。可撓壁４７は、電線１７の屈曲により加わる負荷を軽減させるように撓む。すなわち、可撓壁４７は、撓み空間４５を狭める方向に、後部４７ａ（図１参照）が弾性変位可能となっている。
【００２０】
案内部材１５の固定壁４３の前部には、コネクタハウジング１３の後端３７と平行な図３に示すスペーサーとしてのスペーサー板部５１が起立する。スペーサー板部５１は、案内部材１５の装着時、ロックアーム２９の押下スペース３５に配置される挟入片５１ａ（図４（ｂ）、図５参照）を有する。押下スペース３５に配置された挟入片５１ａは、ロックアーム２９のアーム後部３３に当たる。つまり、スペーサー板部５１は、相手方コネクタハウジングとの係合を行うロックアーム２９の係合解除を規制する。案内部材１５にスペーサー板部５１を設けることで、相手方コネクタハウジングに対するロックアーム２９の二重ロック構造を、専用部材を用いずに構成でき、部品を増やさずに、嵌合信頼性を高めている。
【００２１】
固定壁４３の前部左右には湾曲した係止壁５３ａ，５３ｂが形成される。係止壁５３ａ，５３ｂの内側は、係止壁５３ａ，５３ｂの前部左右で起立する図３に示す支持壁５５ａ，５５ｂに接続される。係止壁５３ａ，５３ｂの前縁には係止受け部５７が形成される。
【００２２】
図４（ａ）は導出電線がハーネステープにて係止されたコネクタの側面図、（ｂ）はその断面図である。また、図５は図１に示したコネクタの分解斜視図で、コネクタハウジング１３と案内部材１５とが分離した状態を示す。
係止受け部５７は、コネクタハウジング１３の側壁に突設された位置規制突起５９と係合するコ字状の切欠部６１を有する。係止受け部５７は、この切欠部６１の後方に、窓状に開口した係止部６３を有する。係止部６３は、コネクタハウジング１３の側壁に突設された係止突起６５を受け入れて係止する。これにより、案内部材１５は、コネクタハウジング１３の後端３７に、位置決め支持されて脱落不能に装着される。
【００２３】
コネクタハウジング１３内のコンタクト１１に接続して、コネクタハウジング１３の後端３７より導出される電線１７は、案内部材１５によって係止されて案内される。案内部材１５は、撓み空間４５と反対側の可撓壁４７の面に沿って設けられた電線１７を、固定壁４３と一括して外周に巻いたハーネステープ６７によって係止する。
【００２４】
ハーネステープ６７は、車両、航空機、船舶、家屋、工場などの電気機器に用いられる絶縁性の粘着テープである。ハーネステープ６７は、柔軟性と伸長性を有し難燃性、機械的強度、耐熱変形性、電気絶縁性、成形加工性などの点に優れる。例えばポリ塩化ビニル系樹脂製フィルムなどを好適に使用することができる。
【００２５】
コネクタ１００は、後端３７から電線の導出されたコネクタハウジング１３に案内部材１５を装着することで、電線１７に沿って可撓壁４７が配置される。電線１７と固定壁４３をハーネステープ６７を用い一括して巻くことで、可撓自在な可撓壁４７に簡単な作業で電線１７を確実に係止できるようになっている。なお、固定壁４３は、底壁４１の後部下面に、ハーネステープ６７の外れ止め突起６９を備えることが好ましい。
【００２６】
次に、上記構成を有するコネクタ１００の作用を説明する。
図６（ａ）は電線の導出されたコネクタハウジングの断面図、（ｂ）は案内部材が装着されたコネクタの断面図、（ｃ）は導出電線に負荷が加えられたコネクタの断面図である。
図６（ａ）に示すように、コネクタハウジング１３には電線１７が接続される。電線１７には、導体にコンタクト１１が接続される。コンタクト１１は、端子収容室２１の弾性係止片７１に係止して離脱不能に装着される。コンタクト１１は、雄タブ受入口２３から進入する雄コンタクトのタブ（図示せず）と電気接触弾性片８３が接触する。端子収容室２１の後方には電線導出孔８５が連設される。電線１７の外周には環状パッキン８７が外挿される。環状パッキン８７は、電線１７と電線導出孔８５の間を気密・防水シールする。
【００２７】
電線１７が導出されたコネクタハウジング１３の後端３７には、図６（ｂ）に示すように、案内部材１５が装着される。案内部材１５は、側壁３９ａ，３９ｂの切欠部６１を、コネクタハウジング１３の位置規制突起５９に一致させて前方に向けて押し入れる。すると、切欠部６１が位置規制突起５９に係合するとともに、係止突起６５が係止部６３に係止して、案内部材１５がコネクタハウジング１３に脱落不能に支持される。
【００２８】
案内部材１５が装着された後、電線１７は、図６（ｂ）に示すように、ハーネステープ６７によって固定壁４３と一括して外周が巻かれて、可撓壁４７に係止される。
【００２９】
このようにコネクタ１００は、車両等に搭載される使用状態において、コネクタハウジング１３の後端３７から導出された電線１７が、案内部材１５の可撓壁４７に係止されている。この状態で、例えば車両の走行やエンジンの駆動によってコネクタハウジング１３が振動すると、電線１７は、可撓壁４７の後端で屈曲されようとする。この際、図６（ｃ）に示すように、可撓壁４７が引っ張り荷重Ｆの加わる方向に一体となって弾性的に変位する。これにより、電線１７の屈曲部８９において荷重（応力）が集中しにくくなる。
【００３０】
また、可撓壁４７が弾性的に変位することで、振動エネルギーが可撓壁４７を弾性変形させる力に費やされる。これにより、振動も減衰することとなる。つまり、可撓壁４７が制振ダンパーとして機能する。
【００３１】
また、可撓壁４７は、一対の側壁３９ａ，３９ｂと底壁４１とに囲まれている。これにより、可撓壁４７は、他部材（他のワイヤーハーネス等）と干渉しにくく、電線１７と一体の自由な撓みが可能となる。つまり、信頼性の高い可撓構造が得られるようになっている。
【００３２】
したがって、本実施の形態に係るコネクタ１００によれば、コネクタハウジング１３の後端３７より導出される電線１７を案内する案内部材１５を備え、案内部材１５は、電線１７を係止し、電線１７の屈曲により加わる負荷を軽減させるように撓み可能な可撓壁４７を備えるので、可撓壁４７が荷重の方向に変位して、電線１７への負担を軽減することができる。
【符号の説明】
【００３３】
１１  コンタクト
１３  コネクタハウジング
１５  案内部材
１７  電線
２９  ロックアーム
３７  後端
３９ａ，３９ｂ  一対の側壁
４１  底壁
４３  固定壁
４５  撓み空間
４７  可撓壁
５１  スペーサー板部
６７  ハーネステープ
１００  コネクタ
【図１】
2011090842.tif 000003
【図２】
2011090842.tif 000004
【図３】
2011090842.tif 000005
【図４】
2011090842.tif 000006
【図５】
2011090842.tif 000007
【図６】
2011090842.tif 000008
【図７】
2011090842.tif 000009
【図８】
2011090842.tif 000010